(57)【要約】【課題】おりものの隠遮性と、経血の視認性に優れたパンティーライナーを提供する。【解決手段】本発明のパンティーライナーは、受液面を有する表面シート１４の上面から測定した明度がマンセル表色系の５．７〜８．７の範囲内である。したがって、おりものの明度と前記表面シート１４の上面から測定した明度との差が小さくなり、おりものの隠遮性に優れている。一方、経血の明度と前記表面シート１４上面から測定した明度との差が大きくなり、経血の視認性が良好になるため、着用者は生理が始まったことを早期に知ることができる。【選択図】　　図１
2004130055.tif 000002
【特許請求の範囲】
【請求項１】
下着の内面に装着されるものであって、下着の色に合わせることが可能な着色された吸収性物品において、
着用者の肌側に向けられる肌側表面と、下着の内面に向けられる着衣側表面を有し、少なくとも前記肌側表面から見たときに着色された色を視認でき、前記肌側表面から測定した明度が、マンセル表色系の５．７〜８．７の範囲内であることを特徴とする吸収性物品。
【請求項２】
複数のシートが積層されたものであり、少なくとも１つのシートが、着色剤を含む合成樹脂で形成されている請求項１記載の吸収性物品。
【請求項３】
肌側表面に現れている表面シートと、着衣側表面に現れている裏面シートとがほぼ同じ大きさであり、前記表面シートと前記裏面シートとが類似色または同系色となるように着色されている請求項１記載の吸収性物品。
【請求項４】
縦方向に向く前縁部と後縁部からそれぞれ離れた位置で、前記表面シートと前記裏面シートとが両側方に突出して、所定面積のウイング部が形成されている請求項３記載の吸収性物品。
【請求項５】
前記裏面シートの表面には、着衣に粘着させるための接着剤層が設けられており、この接着剤層の縁部が、前記裏面シートの全ての縁部よりも内側に位置している請求項３または４記載の吸収性物品。
【請求項６】
肌側表面に現れている表面シートの表面から、着衣側表面に現れている裏面シートの表面までの厚みが０．２５ｍｍ以上で３．５ｍｍ以下である請求項１ないし５のいずれかに記載の吸収性物品。
【請求項７】
前記表面シートは、不織布である請求項１ないし６のいずれかに記載の吸収性物品。
【請求項８】
おりもの吸収用のパンティーライナーとして使用される請求項１ないし７のいずれかに記載の吸収性物品。
【発明の詳細な説明】
【０００１】
【発明の属する技術分野】
本発明は、下着の色に合わせて装着するのに適した吸収性物品に係り、特におりものの隠蔽性と経血の視認性に優れ、パンティーライナーとしての使用に適している着色された吸収性物品に関する。
【０００２】
【従来技術】
女性の下着のクロッチに装着される吸収性物品には、生理用ナプキン、失禁用パッドなどの他に、主におりものを受け止めるために使用されるパンティーライナーがある。従来の前記パンティーライナーは、比較的多量のおりものを吸収し、陰部や陰部周辺の肌に不快感を与えないことや、おりものがライナーから漏れることを防止することを主目的とした商品構造となっている。
【０００３】
一方、近年になって、おりものが比較的少量であるときでも、パンティーライナーを着用するユーザーが増加している。このようなユーザーは、パンティーライナーを旧来のように多量のおりものを吸収するために着用するのではなく、むしろ下着の汚れを防止するために着用するようになっている。すなわち、下着を清潔に保ちたい人や、下着を大事に使う人、あるいは下着が汚れるのが嫌な人達がパンティーライナーを好んで使用するようになってきている。
【０００４】
このような人達は、パンティーライナーを、従前のような吸収性物品として着用するのではなく、下着のクロッチの代替品として、あるいは交換可能な下着のクロッチとしての使用を主な目的としている。近年の女性の下着はブラジャーとパンティーが統一されたデザインになっており、上下一組、あるいは、キャミソールやスリップ等も合わせて三点で購入することが一般的であるが、パンティーのクロッチ部分が汚れ易いため、パンティー、特にクロッチ部分は、他の下着よりも念入りに、あるいは汚れ落としの強い洗剤や、漂白剤などを用いたりして洗うことが多い。
【０００５】
このような洗濯の繰り返しによって、パンティーのみが他の下着に比べて生地が傷み易くなるため、上下、あるいは三点以上のセットの下着を購入する際、パンティーのみをもう一枚買い足す女性も少なくない。このような女性にとって、パンティーライナーは、下着のクロッチの代替品として、あるいは交換可能な下着のクロッチとして有益なものであり、パンティーライナーを常用することで、パンティーのクロッチ部の汚れが少なくなり、パンティーを余分に購入する必要もなくなる。
【０００６】
このように下着クロッチの代替品として、あるいは交換可能なクロッチとしての目的で用いられるパンティーライナーにおいて、着用者が重視するのは、従来重要視されていた吸収機能よりも、むしろ着用したときの着け心地の良さや、下着との一体感であり、そのため、従来よりも軽量で且つ薄く、さらには小さいものが好まれるようになっている。
【０００７】
しかし、このような下着クロッチの代替としてのライナーであっても、従来のものはその色が白色であることが一般的であった。
【０００８】
しかし、下着にこだわり、あるいは下着を大事にする多くの女性は、その日の気分や、行動スケジュール（どこに出かけるか、誰と会うか等）によって、下着を使い分けている。このような女性にとって、下着を選ぶ場合の重要な基準となるのが下着の色であり、白色ではない色の下着を好んで購入し着用する女性が非常に多くなっている。
【０００９】
このように下着の色を重視し、かつ、下着を大事にする女性にとっては、クロッチの代替品として使用するパンティーライナーが白色であるであることに不満を持つ人が多かった。すなわち、色付きの下着を大事に使うため、旧来の生理用品やおりもの用吸収シートと同じ白色のパンティーライナーを使用しなければならないという不満、色つきの下着のクロッチ部分だけライナーで白色になってしまう不満、白色のライナーの表面からは、おりものや尿に起因する汚れが目立ち易いという不満、色つき下着にライナーを付けた場合、下着とライナーの色が異なるのでライナーが目立つ上に、更にライナーに付いた汚れも目立つので、不衛生な気分が増すという不満、などである。
【００１０】
また、色つき下着に白色のライナーを用いた場合、人前で下着を脱ぎ穿きする際、ライナーを装着していることが他人に分かってしまうかもしれない、という不安もある。
【００１１】
このような女性を対象とした吸収性物品として、例えば以下の特許文献１に開示されているものがある。これは、着用者の肌に向けられる表面シートと、着衣側に向けられる裏面シートとの間に吸収コアが挟まれたパンティーライナーにおいて、前記表面シートと裏面シートとが黒色のような暗色の素材で構成されているものである。この黒色のパンティーライナーを、黒い色の下着に装着することにより、下着と同系色にでき、またパンティーライナー自体を暗色にすることにより、これに付着した、おりもの、尿、あるいは経血を目立たなくしようというものである。
【００１２】
また、前記特許文献１に記載のものの他に、特に下着と同色にすることを目的としたものではないが、カテキンを含ませて緑色系に着色されたパンティーライナーや、吸収層やバックシートが着色されており、トップシートからそれらの色が透けて見えるパンティーライナーも市販されている。
【００１３】
【特許文献１】
ＥＰ１１０８４０５号公報
【００１４】
【発明が解決しようとする課題】
前記特許文献１に記載の吸収性物品は、黒色の下着と一体の色を呈することができ、かつ、陰部から排泄される体液（おりもの、経血、失禁尿）を隠蔽する機能を有している。
【００１５】
しかし、黒色などの暗色のパンティーライナーは付着した体液が目立ちにくいものであり、生理期間以外のときにおりものを吸収して隠蔽して、下着の汚れを防止することには効果があるが、その反面、生理が始まった直後の微量な経血が付着したときに、これをも隠蔽してしまうおそれがある。この場合、着用者は生理の始まったことに気づくのが遅れ、通常の生理用ナプキンへ交換することが遅れることになる。生理の開始に気づくのが遅れる結果、薄いパンティーライナーでは経血を吸収し切れず、着用者の局部およびその周辺に経血が多く付着し、不快感を及ぼすだけでなく、パンティーライナーから漏れ出し、下着はおろか、着衣まで汚す可能性がある。色つきの下着を大事にするために、汚さないために使用するパンティーライナーが、かえって下着や着衣を経血で汚す原因となってしまう。
【００１６】
このような事態を起こさないためには、体液の吸収容量を大きくすればよい。しかし、吸収容量を大きくするためには、パンティーライナーの厚み、重量、面積を大きくする必要があり、生理用ナプキンや旧来のおりもの吸収用ライナーに近づいてしまい、クロッチの代替品としては劣るものになる。
【００１７】
また、前記のように緑色などに着色されたパンティーライナーは、パンティーライナーの外観を淡い色にしてパンティーライナーそのものの外観を良好にしたことに留まるものであり、肌側表面から見たときの明度が高いために、体液の隠蔽機能としては劣るものとなる。よって、経血を隠蔽して生理開始に気づくのが遅れるという不安は少ないが、おりものを隠蔽する効果も高くはない。また、下着と同系色にすることを目的に造られてはいないため、色つきのパンティーのクロッチ代替品としては適していない。
【００１８】
本発明は、下着の色に合わせて使用するのに適したものであり、おりものの隠蔽性が高く、しかも、生理の開始時に経血の付着を見逃す可能性が少なく、下着を大事にする女性がパンティーライナーとして使用するのに有益な吸収性物品を提供することを目的としている。
【００１９】
【課題を解決するための手段】
本発明は、下着の内面に装着されるものであって、下着の色に合わせることが可能な着色された吸収性物品において、
着用者の肌側に向けられる肌側表面と、下着の内面に向けられる着衣側表面を有し、少なくとも前記肌側表面から見たときに着色された色を視認でき、前記肌側表面から測定した明度が、マンセル表色系の５．７〜８．７の範囲内であることを特徴とするものである。
【００２０】
本発明の吸収性物品は白ではない色を呈するものであるため、パンティーの色と類似色または同系色のものを選択して着用することが可能となり、パンティーのクロッチに装着された状態で目立たなくなり、前記クロッチと一体感を生じさせることができる。また、肌側表面から測定した明度が前記範囲内であると、吸収したおりものが目立たず、おりものの隠遮性に優れたものとなり、また着用中に生理が始まったときに、前記肌側表面に付着した経血または吸収された経血を直ちに視認できて生理が始まったことを早く知ることができやすい。したがって、パンティーのクロッチ代替品として、またクロッチ交換用としての使用に適したものとなる。
【００２１】
本発明の構成としては、複数のシートが積層されたものであり、少なくとも１つのシートが、着色剤を含む合成樹脂で形成されているものが好ましい。
【００２２】
着色剤が含まれた合成樹脂、例えば着色剤が含まれた合成樹脂繊維や着色剤が含まれた合成樹脂フィルムで形成されたシートを用いると、合成樹脂に含まれる着色剤の量や着色剤の種類を選択したり組み合わせることによって、着色されたシートの色相や明度を調整しやすくなる。また着色剤がシートから離脱することがないので、身体に対して安全であり、また下着を不用意に汚すこともない。また、この吸収性物品は下着の色に合わせて使用するのに適したものであるため、下着に装着したことが目立たない効果がある反面、吸収性物品を装着したまま下着を洗濯するおそれがある。しかし、着色剤を含む合成樹脂で形成されたシートを用いていると、このように誤って洗濯した場合であっても着色剤が脱落する可能性がないため、下着などを汚すことがない。
【００２３】
また、本発明は、肌側表面に現れている表面シートと、着衣側表面に現れている裏面シートとがほぼ同じ大きさであり、前記表面シートと前記裏面シートとが類似色または同系色となるように着色されているものが好ましい。
【００２４】
表面シートと裏面シートとがほぼ同じ大きさであり、且つ裏面シートが表面シートと類似色または同系色に着色されていると、表裏両側から吸収性物品の色を認識できるため、パンティーと類似色または同系色あるいは同色のものを選択しやすくなる。またパンティーの外側から見たときにも着用していることが目立たちにくくなる。
【００２５】
この場合に、吸収性物品は、縦方向に向く前縁部と後縁部からそれぞれ離れた位置で、前記表面シートと前記裏面シートとが両側方に突出して、所定面積のウイング部が形成されているものであってもよい。
【００２６】
前記ウイング部は、下着のクロッチ部の側縁を経て下着の外面に向けて折り返えされて前記外面に接着され、これにより吸収性物品が下着にしっかり取付けられるが、この場合に、下着の外面に現れているウイング部が下着と類似色または同系色あるいは同色であるため、ウイング部が目立たなくなる。
【００２７】
また本発明は、前記裏面シートの表面には、着衣に粘着させるための接着剤層が設けられており、この接着剤層の縁部が、前記裏面シートの全ての縁部よりも内側に位置しているものとするのが好ましい。
【００２８】
裏面シートの縁部の内側の所定の領域に接着剤層が存在していないため、パンティーから取り外す際に、吸収性物品の縁部を指で掴みやすくなる。
【００２９】
また、本発明の吸収性物品は、肌側表面に現れている表面シートの表面から、着衣側表面に現れている裏面シートの表面までの厚みが０．２５ｍｍ以上で３．５ｍｍ以下の薄型のものである。
【００３０】
このように薄型のものとすることにより、パンティーのクロッチに装着したときにクロッチとの一体感を得ることができる。
【００３１】
また本発明において、前記表面シートが不織布であることが好ましい。
表面シートが不織布であると、繊維で形成されているパンティーのクロッチの素材と類似したものとなり、パンティーのクロッチに取り付けたときに、下着と一体感を生じさせやすく、また肌への当たりも柔らかく装着感に優れたものとなる。
【００３２】
このように、本発明の吸収性物品は、下着のクロッチ部に装着して、主におりものを吸収するパンティライナーとして使用するのに適したものとなる。
【００３３】
【発明の実施の形態】
図１は本発明の第１の実施の形態の着色された吸収性物品であるパンティーライナーを示す斜視図、図２は図１のパンティーライナーをＩＩ−ＩＩ線で切断した断面図である。
【００３４】
図１および図２に示すパンティーライナー１は、女性が下着（パンティー）のクロッチ部の内面に設置して着用する薄型の吸収性物品であり、主に女性が分泌するおりものなどの膣排泄液を吸収することを目的として使用される。
【００３５】
このパンティライナーは、下着の色に合わせて、例えば下着の色と類似色または同系色あるいは同色のものを選択して使用するのに適したものであり、少なくとも肌側表面から見たときに着色された色を視認することができる。ここで、本明細書での着色とは、白色ではない他の色が付された状態を意味しており、例えば白色顔料などのみを用いて白色を付した状態は前記着色の概念に含まれない。
【００３６】
このパンティーライナー１は、下着のクロッチの代替品として、あるいは交換可能な下着のクロッチとして使用されるものである。その用途から、厚み寸法は、０．２５ｍｍ以上で５ｍｍ以下が好ましく、さらに好ましくは０．５ｍｍ以上で３．５ｍｍ以下の薄型のものである。また、質量は０．５ｇ以上で４ｇ以下、好ましくは０．７５ｇ以上で３ｇ以下、最も好ましくは１ｇ以上で２ｇ以下である。厚みおよび質量が前記範囲よりも大きいと、厚すぎまたは重すぎて下着のクロッチ代替品として着用者に違和感を与えやすい。また前記範囲未満であると、おりものなどの吸収容量が少なくなって着用者におりものなどが吸収されていない不安を与えやすく、また薄すぎると製造が困難である。
【００３７】
また下着のクロッチに取り付けた状態で、あたかも下着のクロッチの一部としての感触を得るために、その大きさは、前縁部から後縁部までの縦方向の最大寸法が７５ｍｍ以上で２００ｍｍ以下、好ましくは９０ｍｍ以上で１７０ｍｍ以下、最も好ましくは１００ｍｍ以上で１５０ｍｍ以下である。また右側縁部から左側縁部までの横方向の幅寸法であるが、図１に示すように平面形状が砂時計形状である場合に、このパンティライナーを縦方向に二分する中央部またはその付近の幅寸法が最も短くなる部分において、３０ｍｍ以上で８０ｍｍ以下が好ましい。さらに好ましくは４０ｍｍ以上で６０ｍｍ以下であり、最も好ましくは４５ｍｍ以上で５５ｍｍ以下である。この範囲内であれば、身体の排泄部を覆うことができ、また下着のクロッチ部からはみ出しにくくなる。
【００３８】
またパンティーライナー１全体の柔らかさは、ガーレー剛性値で１０ｍｇ以上で３００ｍｇ以下であることが好ましい。さらには３０ｍｇ以上で２５０ｍｇ以下が好ましく、最も好ましくは５０ｍｇ以上で２００ｍｇ以下である。前記範囲を越えると、下着のクロッチ部に装着したときに着用者に剛直感を与えるおそれがある。また前記範囲未満であると、下着のクロッチ部が変形したときにパンティーライナーに撚れや位置ずれが発生するおそれがある。また前記範囲未満であると、柔らかすぎて製造が困難である。
【００３９】
前記ガーレー剛性値は、株式会社安田精機製作所製の「ガーレ柔軟度試験機：形式３１１」を用い、前記試験機付属のマニュアルにしたがって測定した値である。ただし、試験片の幅寸法を２５．４ｍｍとしたきの測定値である。
【００４０】
また、以下の実施の形態のように、肌側表面に不織布が現れていると、表面の質感が下着の生地と近似したものとなって、好ましいものとなる。
【００４１】
図１に示すパンティーライナー１は、縦方向（図示Ｙ方向）に延びる右側縁部２と左側縁部３、および幅方向（図示Ｘ方向）に延びる前縁部４と後縁部５を有している。前記右側縁部２と左側縁部３は凹湾曲形状で、前記前縁部４と後縁部５は凸湾曲形状であり、前記パンティーライナー１の平面形状は砂時計型である。
【００４２】
図２に示すように、前記パンティーライナー１は、液遮断機能を有する裏面シート１１、前記裏面シート１１の上に配置された液の吸収保持機能を有する吸収シート１２、前記吸収シート１２の上に配置された液透過機能を有する中間シート１３、および前記中間シート１３の上に配置された液透過機能を有する表面シート１４から成る４シート構造の積層体である。
【００４３】
前記裏面シート１１、前記吸収シート１２、前記中間シート１３および表面シート１４の平面形状および大きさは、それぞれ前記パンティーライナー１の平面形状および大きさと同じであり、前記各シート１１、１２、１３、１４の両側縁部および前後縁部は、前記パンティーライナー１の各縁部２、３、４、５において互いに一致している。
【００４４】
前記パンティーライナー１では、裏面シート１１、吸収シート１２、中間シート１３、および表面シート１４が重ねられた状態で、前記右側縁部２、左側縁部３、前縁部４および後縁部５から内側へ１〜４ｍｍの間隔を空けて、ラウンドシール部２０が連続して形成されている。このラウンドシール部２０は、幅寸法が１〜３ｍｍ程度であり、このラウンドシール部２０で、前記４つの各シートが加圧された状態でホットメルト型接着剤などで接合されている。
【００４５】
前記裏面シート１１の表面には前記パンティーライナー１を幅方向に２分する中心線Ｏ−Ｏ線から所定の距離を空けて一対の感圧接着剤層１５，１５が塗工されている。図２に示すように、前記感圧接着剤層１５の外面には離型紙１６が接合されている。前記パンティーライナー１の着用者はこの離型紙１６を前記感圧接着剤層１５から剥離して前記感圧接着剤層１５を露出させ、この感圧接着剤層１５を下着のクロッチ部の内側に当てて前記パンティーライナー１を接着して下着のクロッチ部の一部（代替）として着用する。
【００４６】
図１に示すように、前記表面シート１４には、前記中心線Ｏ−Ｏ線を中心として幅方向に一定の幅寸法Ｗ１の範囲で且つ縦方向に連続する領域に、液透過孔１４ａが形成されている。前記液透過孔１４ａが形成されている領域が中央液透過領域３０となっている。
【００４７】
前記中央液透過領域３０内で、前記液透過孔１４ａは規則的に配列されている。また、個々の液透過孔１４ａは円形である。前記液透過孔１４ａの縦方向の配列ピッチＰｙおよび幅方向の配列ピッチＰｘはともに２〜５ｍｍである。また、表面シート１４の表面での液透過孔１４ａの開口直径寸法は０．５〜３ｍｍ程度である。また前記中央液透過領域３０での液透過孔１４ａの開孔面積率は８〜２０％の範囲である。
【００４８】
前記液透過孔１４ａが均一に形成されている前記中央液透過領域３０の幅寸法Ｗ１は、１０〜３０ｍｍの範囲であることが好ましい。前記範囲内であると、身体に着用したときに、膣口が前記中央液透過領域３０内に対向でき、おりものなどの排泄液を主に前記中央液透過領域３０で受けることができる。
【００４９】
このように、表面シート１４に機械的な二次加工を施して多数の液透過孔１４ａを形成すると、パンティーライナー１の肌側表面が、下着（パンティー）のクロッチ部の質感に近づくものとなり、下着のクロッチ部との一体感を得やすくなる。なお、この表面シート１４の機械的な二次加工は、後に説明する中間シート１３のような畝と溝とが賦形されたものであってもよいし、または表面シート１４に多数のピンエンボス部が加工されたものであってもよい。表面シート１４に畝と溝を形成したものは、身体への当たりが柔らかいだけでなく、その素材としての外観が布に近いため、下着のクロッチ部の代替品として適したものとなる。
【００５０】
前記中間シート１３には、縦方向に延びる畝と溝が形成されている。この畝と溝は、隣接する畝部の頂点間の距離が１〜３ｍｍ程度に形成されており、また、前記中間シート１３の吸収シート１２に対面する裏面から、畝部の表面シート１４に対面する頂点までの厚み寸法は０．５〜１．５ｍｍである。このように前記中間シート１３に畝溝を形成すると、着用時の感触が柔らかくなる。
【００５１】
このパンティーライナーは表面シート１４の表面が肌側表面４０であり、着用者の膣口から排泄されて肌側表面４０に与えられたおりものなどの排泄液は、前記表面シート１４で捕捉された後に主に前記液透過孔１４ａを通過し、前記中間シート１３を浸透して通過し、前記吸収シート１２で吸収されて保持される。そして、前記吸収シート１２に吸収保持されたおりものは液遮断機能を有している前記裏面シート１１により、下着などに滲み出ることがない。
【００５２】
前記パンティーライナー１の全体を、肌側表面４０側から見たときに、白色ではない色を認識できるようになっている。この色は、例えばピンク、水色、ベージュなどであり、女性が一般に好む下着の色と類似色または同系色あるいは同色となっている。そのため、下着の色に合わせてこれに合うパンティーライナー１を選択できるようになっている。
【００５３】
また、おりものなどの排泄液が与えられていない状態のパンティーライナー１を肌側表面４０側から測定したときのマンセル表色系の明度が５．７〜８．７の範囲内となっている。この実施の形態では、前記肌側表面４０の一部が前記液透過孔１４ａを有する中央液透過領域３０となっているが、前記中央液透過領域３０の部分で測定した前記明度および、肌側表面４０において前記中央液透過領域３０以外の領域で測定した明度の双方が前記５．７〜８．７の範囲となっている。また表面シートに畝部と溝部が形成され、あるいは多数のピンエンボス部が形成されている場合においても、畝部と溝部が形成されている領域およびピンエンボス部が形成されている領域において測定した明度が、前記範囲内である。
【００５４】
おりものなどの排泄液が与えられていない状態のパンティーライナー１の全体を前記肌側表面４０から見たときのマンセル表色系の明度が５．７〜８．７の範囲内であると、通常白色またはクリーム色であるおりものの明度と、前記肌側表面４０から目視できるパンティーライナー１自体の色の明度との差が小さくなり、よって肌側表面４０に付着しまたは表面シート１４を透過して中間シート１３や吸収シート１２に至ったおりものの色彩が外部から目立たなくなる。
【００５５】
一方、経血の明度と、前記肌側表面４０から目視できるパンティーライナー１自体の色の明度との差が大きいため、肌側表面４０に付着しまたは表面シート１４を透過して中間シート１３や吸収シート１２に至った経血を直ちに外部から視認できるようになる。よって、前記パンティーライナー１の着用中に生理が始まった場合でも、着用者は生理が始まったことを早期に知ることができ、着用者はパンティーライナーから生理用ナプキンへの交換を生理開始後の早期に行なうことが可能となる。そのため、経血がパンティーライナー１の吸収保持量を超え、経血が漏れて衣服などを汚すことを防止し易くなる。
【００５６】
ここで、本明細書において「マンセル表色系」とは、アルパート・Ｈ・マンセルが創案した表色系をアメリカ光学会の測色委員会が修正して発表した表色系を意味する。
【００５７】
前記マンセル表色系は、色を色相、明度および彩度の３属性によって表わしたものである。前記「色相」とは、光のスペクトルに表れる色の属性を意味し、前記マンセル表色系では赤（Ｒ）、黄（Ｙ）、緑（Ｇ）、青（Ｂ）、紫（Ｐ）の５色相を基本とし、さらに中間に黄赤（ＹＲ）、黄緑（ＧＹ）、青緑（ＢＧ）、青紫（ＰＢ）、赤紫（ＲＰ）を配して１０色相で表わし、さらに１０色相の各色相内で等級を最大が１０となるように等歩度で表現している。また前記「明度」とは、物体表面の視感反射率（明るさに関する反射率）の大きさを示す視感覚の属性を意味し、マンセル表色系では、光を完全に吸収する黒を０、光を完全に反射する白を１０として等歩度で表わしている。また前記「彩度」とは、色の鮮やかさを示す度合いを意味し、マンセル表色系では無彩色を０とし、鮮やかさの増大にしたがって等歩度に数値が大きくなるように表わしている。
【００５８】
ここで、本明細書において類似色とは、色相の等級が±５の範囲を意味している。例えば色相５Ｂに対する類似色は、１０Ｂから１０ＢＧの範囲である。また同系色とは、色相の等級が±２．５以下の範囲を意味している。例えば５ＹＲに対する同系色は２．５ＹＲから７．５ＹＲの範囲である。
【００５９】
この色相、明度および彩度は、測定装置によって測定可能であるが、本明細書での前記色相、明度および彩度は、ミノルタ株式会社製の色彩色差計「ＣＲ−３００」により測定した値を意味している。
【００６０】
パンティーライナー１を肌側表面４０から見たときに、前記５．７〜８．７の範囲の明度を呈するようにするためには、パンティーライナー１を構成している表面シート１４、中間シート１３、吸収シート１２および裏面シート１１の各シートのうちの少なくとも１つのシートが着色されていればよい。ただし、この実施の形態の前記パンティーライナー１では、前記表面シート１４と前記裏面シート１１とが類似色または同系色に着色されている。この場合に、パンティーライナー１を裏面シート１１側から測定した明度も５．７〜８．７の範囲内であることが好ましい。
【００６１】
表面シート１４と裏面シート１１の双方が類似色または同系色（好ましくは同色）で、共に前記５．７〜８．７の明度を呈するものであると、パンティーライナー１の肌側表面と着衣側表面の双方を下着の色彩に合わせることができ、下着のクロッチ部に装着したときに、下着のクロッチ部の色と合った一体感を生じさせることができる。また、前記パンティーライナー１の一部がショーツのクロッチ部からはみ出た場合でも、前記パンティーライナーを着用していることが目立ちにくくなる。
【００６２】
前記パンティーライナーの色相は白でなければ任意であるが、肌側表面から測定した明度が前記５．７〜８．７の範囲内とするためには、ピンク系の場合、５ＲＰ〜５Ｒの範囲、水色系の場合は、５ＢＧ〜１０Ｂ、ベージュ系の場合は、５ＹＲ〜１０ＹＲの範囲とすることが好ましい（前記範囲は、いずれもマンセル色相環の時計周りでの範囲である）。前記範囲内の色相とすると明度を５．７〜８．７の範囲に設定しやすい。
【００６３】
前記のように、裏面シート１１の表面（着衣側表面）には、感圧接着剤層１５が設けられているが、この裏面シート１１の表面において、裏面シート１１の縁部の全ての部分と、この縁部に対向する前記感圧接着剤層１５の縁部との間に、少なくとも２ｍｍ以上の間隔が開けられていることが好ましい。このように構成すると、裏面シート１１の表面において、その縁部よりも内側の所定の範囲に裏面シート１１の色が感圧接着剤層１５に阻害されることなく現れるようになる。よって、裏面シート１１の側縁部が下着のクロッチ部からはみ出した場合に外部から目立ちにくくなる。また、パンティーライナー１の縦方向に対向する前縁部４または後縁部５などが着用者側に折り曲げられた場合であっても、パンティーライナー１の外観を下着と類似色あるいは同系色のままにでき、パンティーライナー１の色が下着と同化して下着の内側から見たときにパンティーライナー１が目立ちにくくなる。
【００６４】
また、裏面シート１１の全ての縁部の内側に感圧接着剤層１５が存在しない領域が形成されていると、パンティーライナー１の縁部のいずれの部分であっても指で掴むことができ、下着のクロッチ部からパンティーライナー１を剥がしやすくなる。
【００６５】
前記表面シート１４および／または前記中間シート１３は、例えばスパンボンド不織布で形成される。このスパンボンド不織布は、少なくとも一部の繊維として着色剤が練り込まれた合成樹脂で形成された繊維が用いられている。また不織布の表面の全ての部分で色を均一にするためには、不織布を構成している繊維の全てが前記着色された繊維であることが好ましい。
【００６６】
また、表面シート１４および／または前記中間シート１３は、２枚の不織布が部分的に熱融着されあるいは接着剤で接着されている。この場合、肌側に向く層を着色された繊維の不織布で形成し、着衣側に向く層を、着色されていない繊維で形成してもよい。あるいは、３枚の不織布を前記のように接合した多層構造体とし、肌側と着衣側に向くそれぞれの層を着色された繊維で形成された不織布とし、中間の層を着色されていない繊維で形成してもよい。
【００６７】
前記の着色された合成繊維は、ポリプロピレン樹脂などの合成樹脂のペレットと、着色剤およびポリプロピレン樹脂などの合成樹脂とから成るマスターバッチとを混合した原料を用い、これを溶融押し出しして形成されたものである。また前記の材料に代えて、前記着色された合成樹脂繊維で形成されたスパンレース不織布など他の種類の不織布であっても使用可能である。
【００６８】
表面シート１４を不織布で形成すると、パンティーライナー１の肌側表面４０の質感を下着のクロッチ部の質感に近くすることができる。
【００６９】
また、表面シート１４として、ポリエチレン樹脂やポリプロピレン樹脂などの合成樹脂のペレットと、着色剤およびポリエチレン樹脂やポリプロピレン樹脂などの合成樹脂とから成るマスターバッチとを混合した原料を用い、これを溶融押し出しして形成された着色樹脂フィルムであって、開孔処理が施されたものを使用することもできる。また、この着色した樹脂フィルムと、着色した繊維で形成された不織布とを接合して用い、あるいは着色された樹脂フィルムと、着色されていない繊維で形成された不織布とを接合したものを用いてもよい。
【００７０】
さらに、合成樹脂繊維などの繊維で形成された不織布、または開孔樹脂フィルムを用い、その少なくとも一方の表面に所望の色を印刷したシートを表面シート１４として使用することもできる。このときの印刷方法としては、フレキソ、グラビア、インクジェット印刷などがあるが、これらのうちのフレキソ印刷を用いることが好ましい。フレキソ印刷は、有機溶剤を使用しないために身体に対する安全性が高い。一方、グラビア印刷は、不織布や樹脂フィルムに張力を与えやすく、均一な且つ安定した印刷とするのが難しい。これに対しフレキソ印刷は、前記不織布や樹脂フィルムをドラムに乗せて印刷するため、不織布などに与えられる張力が弱く、ずれのない安定したインクの定着が可能である。また、フレキソとグラビア以外の印刷法は、コストが高くなって量産に適さない。なお、不織布や樹脂フィルムに色を印刷する場合、インクは安全性の高い、例えば食品用の可食インクを用いることが好ましい。
【００７１】
前記裏面シート１１は、前述した着色ポリエチレン樹脂などの着色樹脂フィルムが好ましく使用される。この場合に、合成樹脂のペレットおよび着色剤を含むマスターバッジにさらに無機フィラー等を添加し、溶融押し出しにてフィルムを形成した後に、これを延伸して多数の微細な孔を形成して透湿性を付与したものを用いるのが好ましい。さらに前記各材料に代えて、スパンボンド不織布／メルトブローン不織布／スパンボンド不織布の順序で積層したシートで、少なくとも一層の不織布が着色合成樹脂繊維で形成されたものを使用できる。
【００７２】
また、前記吸収シート１２は、例えば、再生セルロース繊維であるレーヨン、およびポリエチレンテレフタレート繊維とポリプロピレン繊維とで構成されたスパンレース不織布が使用される。この吸収シート１２を構成する繊維は白色、またはそれぞれの繊維が呈する天然色である。ただし、これを構成する繊維が白ではない色に着色されたものであってもよい。
【００７３】
また、吸収シート１２として、パルプを含むエアーレイド不織布や、前記エアーレイドと高吸水性ポリマー、パルプと高吸水性ポリマー、さらには高吸収性ポリマーシートなどを使用することも可能である。しかし高吸水性ポリマーを使用すると経血を吸収しやすくなるため、パンティーライナー１に経血が与えられたことを見落とす可能性がある。またパンティーライナー１がごわごわしたものとなり下着のクロッチ部の代替品としての装着感触がやや悪くなる。このごわごわ感を低減するためには前記パルプなどのようなごわごわ感を緩和する素材を併用することが必要になるため、パンティーライナーが厚くなりクロッチ部の代替品としてあまり適しなくなる。さらにパンティーライナーを外すのを忘れて下着を洗濯したようなときに、高吸水性ポリマーが洗濯水を吸収してしまい、洗濯時のトラブルの原因となるおそれがある。
【００７４】
パンティーライナー１が所定の色相および明度を呈するためには、前記のように、表面シート１４、中間シート１３、吸収シート１２、裏面シート１１のいずれか１つのシートが着色されたものであればよいが、その着色シートとして、前記のように着色剤を含む合成樹脂を使用すると、着色剤の量や種類の選択で色相や明度を制御しやすくなる。また、着色剤が脱落しにくいため、身体に対する安心感があり、また不用意に着色剤が脱落して下着を変色させるなどの問題が生じなくなる。また誤ってパンティーライナーを下着と共に洗濯することがあっても、着色剤が脱落することがない。
【００７５】
なお、前記各シート１１，１２，１３，１４を、着色された生分解性の素材からなる水解性シートで構成することもできる。このように構成すると、使用済みのパンティーライナーを水洗トイレットに流したときに、水解性シートを構成する繊維が水中で分散した後に生分解されるため浄化槽や下水道の機能を損わず、また環境の汚染を防止できるようになる。
【００７６】
ここで本明細書における「生分解性繊維」とは、生体内であるいは微生物の作用により分解される繊維を意味する。また本明細書における「水解性」とは、シートが水中に置かれたときに、シートを構成する繊維がばらばらに分散する性質を意味する。
【００７７】
生分解性の素材からなる水解性シートには、例えば、パルプ繊維などの天然繊維、再生セルロース繊維、精製セルロース繊維、またはこれらのいずれかを組み合わせた混合物であって、少なくとも一部に着色された前記繊維を用いて形成したスパンレース不織布が使用できる。
【００７８】
以上、前記パンティーライナー１は、表面シート１４、中間シート１３、吸収シート１２および裏面シート１１の４層構造のものとして説明したが、本発明はこれに限定されるものではなく、前記肌側表面から測定したマンセル表色系の明度が５．７〜８．７の範囲内であれば他の構造とすることもできる。例えば、前記中間シート１３を設けずに３層構造のものとすることもできる。また、液吸収保持機能を有する厚手の素材で形成される前記表面シート１４と裏面シート１１で構成された２層構造のもの、または前記表面シート１４のみの１層構造のものとすることもできる。あるいは、前記中間シートが２つ以上設けられたものであってもよい。
【００７９】
また、前記表面シート１４に液透過孔１４ａが形成されて中央液透過領域３０が形成されているものを説明したが、本発明はこれに限定されるものではなく、パンティーライナー１を肌側表面側から測定したマンセル表色系の明度が５．７〜８．７の範囲内であれば、液透過孔１４ａが形成されていなくてもよい。また前記のように測定したマンセル表色系の明度が前記範囲内であれば、前記表面シート１４に畝溝などの他の機械的二次加工が施されたものであってもよい。
【００８０】
また、前記マンセル表色系の明度が前記範囲内であれば、前記中間シート１３に畝溝が形成されていなくてもよい。
【００８１】
図３は、本発明の第２の実施の形態の吸収性物品のパンティーライナー１Ａの斜視図、図４は前記パンティーライナー１ＡをＩＶ−ＩＶ線で切断した半断面図である。
【００８２】
このパンティーライナー１Ａは、前記パンティライナー１と同様に薄型のものであり、主におりものなどの吸収を目的として下着のクロッチ部に取付けて使用される。図３と図４において、前記パンティーライナー１と同じ構造部分には同じ符号を付してその詳しい説明を省略する。
【００８３】
図３と図４に示すパンティーライナー１Ａは、前縁部４と後縁部５の双方から間隔を開けた位置、例えば縦方向に二分する中間位置において、右側縁部２と左側縁部３が左右両側へ突出してウイング部１０，１０が形成されている。図４に示すように、このウイング部１０，１０は、裏面シート１１と表面シート１４とが重ねられてホットメルト型接着剤などで接着されている。またウイング部１０，１０において、裏面シート１１の外面に、感圧接着剤層１５ａ，１５ａがそれぞれ設けられている。
【００８４】
このパンティーライナー１Ａは、下着のクロッチ部の内側に感圧接着剤層１５によって接着するとともに、ウイング部１０，１０を、クロッチ部の両側縁部から外面に向けて折り曲げ、このウイング部１０，１０を感圧接着剤層１５ａを介して下着の外面に接着する。これにより、パンティーライナー１Ａを下着に確実に固定できる。
【００８５】
表面シート１４と裏面シート１１の双方が類似色または同系色（好ましくは同色）で、共に前記５．７〜８．７の明度を呈するものであると、ウイング部１０，１０を下着の色彩に合わせることができ、前記パンティーライナーを着用していることが目立ちにくくなる。
【００８６】
【実施例】
以下の実施例および比較例について、おりものの隠遮性評価および経血の視認性評価を行なった。
【００８７】
＜実施例１ないし７および比較例１ないし５＞
以下の実施例１ないし実施例７および比較例１ないし比較例５には、表面シートの下に、第１中間シートと第２中間シートが選択的に用いられているが、この表面シート、第１中間シート、第２中間シートはいずれも畝溝などの凹凸加工が施されていないものを用いた。また、特に説明されていないかぎり、これらシートとして液透過孔が形成されていないものを用いた。
【００８８】
（実施例１）
表面シートと、第１中間シートおよび第２中間シートとが重ねられて設けられており、表面シート、第１中間シートおよび第２中間シートのそれぞれが、ピンク色のマスターバッチ（酸化チタン４０質量％、キナクリドン系レッド０．３６５質量％、縮合アゾ系レッド０．１３５質量％、ＰＰ樹脂４２．８質量％、分散剤１６．７質量％）を、１．６質量％の割合で混合したポリプロピレン（ＰＰ）樹脂を押し出して得られた繊維（２．２ｄｔｅｘ）からなるスパンボンド不織布（目付け２５ｇ／ｍ２）となっている。
【００８９】
吸収シートとして、１．３９ｄｔｅｘで繊維長４４ｍｍのビスコースレーヨン繊維５５質量％、１．４４ｄｔｅｘで繊維長３８ｍｍのポリエチレンテレフタレート（ＰＥＴ）繊維３０質量％、１．６７ｄｔｅｘで繊維長４５ｍｍのポリプロピレン（ＰＰ）繊維１５質量％を混合して、水流交絡させて得られた湿式スパンレース不織布（目付け３８ｇ／ｍ２）を使用した。
【００９０】
この吸収シートの素材に、白でない着色剤は用いておらず、ビスコースレーヨンは製造時の天然色のものを用い、ＰＥ繊維やＰＰ繊維は無機フィラーを含有した白色のものを使用した。この吸収シート単体での色相や明度は後に説明する実施例８および実施例９の吸収シートと同じである。また、以下の各実施例および各比較例の吸収シート同じものを使用している。
【００９１】
裏面シートとして、２２．５ｇ／ｍ２の白色ポリエチレンフィルム、すなわち無機フィラーを含有して白色化されたものを使用した。
【００９２】
そして、前記裏面シートの上に、吸収シート、前記第２中間シート、前記第１中間シート、前記表面シートを順次積層し、前記各シートの縁部をホットメルト型接着剤で接合して吸収性物品を作成し、これを実施例１とした。
【００９３】
この実施例１の表面シート側から測定したマンセル表色系の明度は、８．７０であった。なお、前述のように、マンセル表色系の明度は、ミノルタ株式会社製の色彩色差計「ＣＲ−３００」により測定した値であり、これは以下の各実施例および比較例においても同様である。
【００９４】
（実施例２）
水色のマスターバッチ（酸化チタン６．１２質量％、銅フタロシアニンブルー３．３２質量％、キナクリドン１．５０質量％、ＰＰ樹脂８９．０６質量％）を１．６質量％の割合で混合したＰＰ樹脂を押し出して得られた繊維（２．２ｄｔｅｘ）からなるスパンボンド不織布（目付け２５ｇ／ｍ２）を、表面シートおよび第１中間シートおよび第２の中間シートとして用い、実施例１と同様の構造の吸収性物品を作成し、これを実施例２とした。マンセル表色系の明度は８．７０であった。
【００９５】
（実施例３）
ベージュ色のマスターバッチ（酸化チタン１６．６５質量％、黄色酸化鉄７．１７質量％、赤色酸化鉄３．０９質量％、カーボンブラック０．７５質量％、ＰＰ樹脂７２．３４質量％）を１．７質量％の割合で混合したＰＰ樹脂を押し出して得られた繊維（２．２ｄｔｅｘ）からなるスパンボンド不織布（目付け２５ｇ／ｍ２）を表面シートおよび第１中間シートとして使用して、吸収性物品を作成し、これを実施例３とした。
マンセル表色系の明度は７．００であった。
【００９６】
（実施例４）
実施例３から第１中間シートを除いた構造の吸収性物品を作成し、これを実施例４とした。
マンセル表色系の明度は８．００であった。
【００９７】
（実施例５）
実施例４と同様の構造で、表面シートをベージュ色のマスターバッジを用いたスパンボンド不織布で目付けが３０ｇ／ｍ２のものを使用し、これを実施例５とした。
マンセル表色系の明度は７．２５であった。
【００９８】
（実施例６）
実施例３と同様の構造で、表面シートおよび第１中間シートを、ベージュ色のマスタバッジを用いたスパンボンド不織布で、それぞれ目付け３０ｇ／ｍ２とし、これを実施例６とした。
マンセル表色系の明度は５．９０であった。
【００９９】
（実施例７）
実施例３に、さらに表面シートおよび第１の中間シートと同じ不織布である第２の中間シートを用いたものを実施例７とした。
マンセル表色系の明度は５．７０であった。
【０１００】
（比較例１）
実施例７と同じ目付けが２５ｇ／ｍ２の表面シートと、実施例６の第１中間シートと同じ目付けが３０ｇ／ｍ２の不織布を第１中間シートおよび第２中間シートに使用し、これを比較例１とした。
マンセル表色系の明度は５．５０であった。
【０１０１】
（比較例２）
黒色のマスターバッチ（カーボンブラック１８．２０質量％、ＰＰ樹脂５４．４０質量％、ワックス２７．３０質量％）を４．０質量％の割合で混合したＰＰ樹脂を押し出して得られた繊維（２．２ｄｔｅｘ）からなるスパンボンド不織布（目付け２５ｇ／ｍ２）を表面シートとして使用し、これを比較例２とした。
マンセル表色系の明度は３．５０であった。
【０１０２】
（比較例３）
比較例２と同様の構造で、表面シートに液透過孔を形成したものを比較例３とした。
【０１０３】
前記液透過孔は、前記比較例を幅方向に２分する中心線を中心として、この中心線を横断する方向の幅寸法が２０ｍｍで、且つ縦方向の全長にわたる領域に設けた。縦方向および幅方向の配列ピッチをともに３ｍｍ、表面シートの表面側の開孔端での液透過孔の直径寸法を１ｍｍとした。
マンセル表色系の明度は４．０５であった。
【０１０４】
（比較例４）
比較例１の表面シートを用いるとともに、この表面シートと同じ不織布を第１中間シートとして使用し、これを比較例４とした。
マンセル表色系の明度は２．１０であった。
【０１０５】
（比較例５）
酸化チタンを０．５質量％の割合で混合したＰＰ樹脂を押し出して得られた繊維（２．２ｄｔｅｘ）からなる、白色のスパンボンド不織布（目付け２５ｇ／ｍ２）を表面シートとして使用して、これを比較例５とした。
マンセル表色系の明度は９．６０であった。
【０１０６】
＜おりものの隠遮性評価および経血の視認性評価＞
（１）明度測定
前記各実施例および各比較例を、液を滴下する前の初期状態において、受液表面から明度を測定した。
【０１０７】
（２）擬似おりものの隠蔽性評価
前記色彩色差計を用いて、色差基準色と各実施例および比較例の肌側表面との色差をハンターΔ（Ｌａｂ）値として測定した。液を滴下していないときの初期の色差測定値をΔＥ０とする。
【０１０８】
次に、模擬おりものとして蒸留水０．５ｍｌを前記各実施例および比較例の表面シート上面に滴下して、同じく色差基準色との色差を測定した。この測定値をΔＥ１とする。
【０１０９】
そして、模擬おりものを滴下する前の初期の色差測定値ΔＥ０と、滴下した後の色差測定値ΔＥ１との差の絶対値｜ΔＥ０−ΔＥ１｜を擬似おりものに対する隠蔽性効果とし、これを表１に記載した。
【０１１０】
前記絶対値｜ΔＥ０−ΔＥ１｜が小さい値であるほど、擬似おりものに対する隠蔽性効果が高いことになる。表１において次の（３）モニター評価の結果を参照すると、前記絶対値｜ΔＥ０−ΔＥ１｜は、９以下であることが好ましく、さらに好ましくは８以下、実施例に基づく好ましい値は７．７１以下である。
【０１１１】
（３）擬似おりものの隠蔽性のモニター評価
前記模擬おりもの０．５ｍｌを前記各実施例および比較例の表面シート上面に滴下し、モニター１０名に目視にて隠遮性を判定させた。
【０１１２】
判定場所の明るさは７６ルクスで、モニターの平均視力（矯正視力を含む）は１．０であった。
【０１１３】
判定は隠遮性が「非常に好ましい」、「やや好ましい」、「どちらとも言えない」、「あまり好ましくない」、「好ましくない」の５段階で評価し、以下の基準によって行なった。
【０１１４】
・隠遮性が「やや好ましい」、または「非常に好ましい」を選択したモニターが８名以上の場合：○
・隠遮性が「やや好ましい」、または「非常に好ましい」を選択したモニターが６名以上の場合：△
・前記○または△以外の場合：×
【０１１５】
（４）擬似経血の識別性評価
前記（２）の隠蔽性評価と同様にして、色差基準色との色差を測定した。擬似経血を滴下する前での、各実施例および比較例の肌側表面の色差ΔＥ０とし、模擬経血０．５ｍｌを前記各実施例および比較例の表面シート上面に滴下した後の前記色差をΔＥ１とし、色差間の差の絶対値｜ΔＥ０−ΔＥ１｜を擬似経血の識別性評価として表１に記載した。
【０１１６】
なお、カルボキシメチルセルロースナトリウム８ｇ、グリセリン８０ｇ、炭酸水素ナトリウム４ｇ、赤色１０２号８ｇ、赤色２号２ｇ、黄色５号２ｇを蒸留水１リットルに溶解したものを模擬経血とした。
【０１１７】
前記絶対値｜ΔＥ０−ΔＥ１｜が大きい値であるほど、擬似経血の識別性効果が高いことになる。表１において次の（５）モニター評価の結果を参照すると、前記絶対値｜ΔＥ０−ΔＥ１｜は、４３以上であることが好ましく、実施例に基づく好ましい値は４４．３８以上である。
【０１１８】
（５）擬似経血の識別性のモニター評価
前記模擬経血０．５ｍｌを前記各実施例および比較例の表面シート上面に滴下し、モニター１０名に目視にて視認性を判定させた。
【０１１９】
判定場所の明るさは７６ルクスで、モニターの平均視力（矯正視力を含む）は１．０であった。
【０１２０】
判定は「視認し易い」、「視認できる」、「どちらとも言えない」、「視認しづらい」、「視認できない」の５段階で評価し、以下の基準によって行なった。
【０１２１】
・「視認できる」、または「視認し易い」を選択したモニターが８名以上の場合：○
・「視認できる」、または「視認し易い」を選択したモニターが６名以上の場合：△
・前記○または△以外の場合：×
【０１２２】
＜結果＞
各実施例および各比較例の構成と、おりものの隠遮性評価および経血の視認性評価の結果を表１に示す。
【０１２３】
表１より、おりものの隠遮性および経血の視認性の双方を良好にするためには、マンセル表色系の明度を５．７〜８．７の範囲にする必要があることが分かる。
【０１２４】
【表１】
2004130055.tif 000003
【０１２５】
＜実施例８および９＞
実施例８および実施例９として、表面シート、中間シート、吸収シート、および裏面シートが重ねられたパンティーライナーを製造した。
【０１２６】
両実施例での表面シートは、縦方向中心線を中心として幅が２０ｍｍの範囲で且つ縦方向に全長に延びる領域に、縦方向に延びる畝と溝とが横方向へ一定のピッチで賦形されており、また前記領域内に、多数のピンエンボス部が規則的に形成されているものを使用した。ただし、ピンエンボス部でシートに強制的な開孔を形成していない。
【０１２７】
畝の横方向での配列ピッチは２ｍｍである。ピンエンボス部は、表面シートの畝溝の溝部の底面に沿って形成されているものであり、このピンエンボス部の配列は、横方向のピッチが畝のピッチと同じ２ｍｍであり、縦方向のピッチ（溝に沿う方向のピッチ）は２．３ｍｍである。ピンボス部の直径は０．７ｍｍ、前記幅寸法２０ｍｍの領域内でのピンエンボス部の占有面積率を８．３％とした。
【０１２８】
表面シートは、不織布を第１のロールと第２のロールとの間で挟圧することで前記畝と溝およびピンエンボスを同時に形成したものを使用した。第１のロールは、ロール円周方向に延びる幅が１．３ｍｍの凹部が、ロール軸方向へ２ｍｍのピッチで形成され、さらに溝と溝との間に、直径が０．７ｍｍの押圧ピンがロール円周方向へ向けて２．３ｍｍのピッチで配列されたものを使用した。第２のロールは、ロール円周方向に延びる幅が０．３ｍｍの凸部が、ロール軸方向へ２ｍｍのピッチで形成されたものを使用した。
【０１２９】
第１のロールの押圧ピンが第２のロールの凸部と凸部との間の溝の底部に当たるようにして、不織布を加圧する。このときのロール表面の温度を１００〜１１０℃、ロールどうしの圧力を、２４５０ｋＰａとした。その結果、畝溝をおよびピンエンボスを有する厚みが１ｍｍの表面シートを得た。
【０１３０】
中間シートは畝と溝などを賦形していないものを使用した。
なお、前記表面シートと中間シートは、それぞれマスターバッジを混合して溶融押し出しした着色ポリプロピレン繊維で形成されたスパンボンド不織布（目付けが３０ｇ／ｍ２）を使用した。
【０１３１】
吸収シートは、前記実施例１ないし７、比較例１ないし５と同じものであり、着色していないものを用いた。
【０１３２】
裏面シート１１は、着色ポリエチレン樹脂で形成された目付けが２３．５ｇ／ｍ２のポリエチレンフィルムを使用した。
【０１３３】
以下の実施例では、パンティーライナーが組み立てられる以前に、各シートの色相、明度および彩度を単独で測定し、さらにパンティーライナーが組み立てられた状態で、表面シート側から色相、明度および彩度を測定した。いずれの色相、明度および彩度も、３回の測定値の平均値とした。
【０１３４】
（実施例８）
表面シートのマンセル表色系の色相を７．８ＹＲ、明度を８．６、彩度を２．０とした。
【０１３５】
中間シートは、マンセル表色系の色相を６．５ＹＲ、明度を７．３、彩度を３．２とした。
【０１３６】
吸収シートは、マンセル表色系の色相が４．２Ｙ、明度が９．６、彩度が０．２であった。
【０１３７】
裏面シートは、マンセル表色系の色相を４．４ＹＲ、明度を７．７、彩度を３．３とした。
【０１３８】
パンティーライナー全体を、肌側表面から見たときベージュ色であり、マンセル表色系の色相は、６．４ＹＲ、明度が７．３、彩度が２．８であった。
【０１３９】
（実施例９）
表面シートは、マンセル表色系の色相が４．０Ｂ、明度を９．５、彩度を０．８５とした。
【０１４０】
中間シートは、マンセル表色系の色相を４．１Ｂ、明度を９．６、彩度を０．９５とした。
【０１４１】
吸収シートは実施例８と同じである。
前記裏面シートは、マンセル表色系の色相を７．３Ｂ、明度を９．１、彩度が２．２とした。
【０１４２】
パンティーライナーを液透過領域３０の上方から見たときに水色であり、マンセル表色系の色相は７．４Ｂ、明度は８．９、彩度は２．９であった。
【０１４３】
実施例８と９のように、完成したパンティーライナーでは、表面シートを透過してその下に位置する中間シートおよび吸収シートが透けて見えるが、前記のように各素材の色を調整すると、前記パンティーライナーを肌側表面から測定したときの明度を好ましい範囲にできる。
【０１４４】
実施例８と実施例９に関して、前記実施例１ないし７および比較例１ないし５と同様にしておりものの隠遮性および経血の視認性のモニター評価を行った結果、いずれもその評価は「○」であった。
【０１４５】
【表２】
2004130055.tif 000004
【０１４６】
【発明の効果】
本発明の吸収性物品は、色付きの下着に合わせて着用するのに適したものであり、肌側表面から測定した明度をマンセル表色系の５．７〜８．７としたことにより、おりものの隠遮性に優れ、また着用中に生理が始まった場合に、生理が始まったことを早期に知ることができる。よって、下着のクロッチの代替として使用するパンティーライナーとして適したものとなる。
【図面の簡単な説明】
【図１】本発明の第１の実施の形態であるパンティーライナーを示す斜視図、
【図２】図１のＩＩ−ＩＩ線での断面図、
【図３】第２の実施の形態のパンティーライナーを示す斜視図、
【図４】図３のＩＶ−ＩＶ線で切断した半断面図、
【符号の説明】
１　パンティーライナー
１１　裏面シート
１２　吸収シート
１３　中間シート
１４　表面シート
１４ａ　液透過孔
３０　液透過領域
４０　受液面
【図１】
2004130055.tif 000005
【図２】
2004130055.tif 000006
【図３】
2004130055.tif 000007
【図４】
2004130055.tif 000008